(57)【要約】【課題】ソフトルアーが脱落しにくいソフトルアー装着用ジグヘッド及び釣り用ルアーを提供する。【解決手段】ソフトルアー装着用ジグヘッド２０のソフトルアー３０を装着する装着面２３に心棒２４および心棒２４を囲む螺旋部２７、装着したソフトルアー３０の抜け方向への回転を規制する回り止め２８、２９を形成する。ソフトルアー装着用ジグヘッド２０の装着面２３から伸びる心棒２４の先端を、ソフトルアー３０の被装着面の中心に突き刺し、螺旋部２７の先端が当たってからソフトルアー３０を回転させると螺旋部２７がソフトルアー３０に螺旋状に食い込んでいき抜けにくくなる。【選択図】図１
2018050485.tif 000002
【特許請求の範囲】
【請求項１】
ソフトルアーを装着する装着面から心棒および心棒を囲む螺旋を有する抜け止め部材が突出していることを特徴とするソフトルアー装着用ジグヘッド。
【請求項２】
前記螺旋は螺旋バネであることを特徴とする請求項１に記載のソフトルアー装着用ジグヘッド。
【請求項３】
前記装着面には、装着したソフトルアーの抜け方向への回転を規制する回り止めを有することを特徴とする請求項１又は２に記載のソフトルアー装着用ジグヘッド。
【請求項４】
前記回り止めは、心棒からの距離が相違する複数箇所にあることを特徴とする請求項３に記載のソフトルアー装着用ジグヘッド。
【請求項５】
請求項１ないし４のいずれか一項に記載のソフトルアー装着用ジグヘッドにソフトルアーを装着した釣り用ルアー。
【発明の詳細な説明】
【技術分野】
【０００１】
本発明は、釣り用のソフトルアー装着用ジグヘッド、及びジグヘッドにソフトルアーを装着した釣り用ルアーに関する。
【背景技術】
【０００２】
釣り用ルアー（疑似餌）として、対象魚を誘引しやすいような様々な形状、材質、色、匂い等を付与したものが提供されている。この釣り用ルアーの一つに、ジグヘッドに、軟質樹脂で形成したソフトルアーを装着したものがある。これは、図３に一例を示すように、釣り用ルアー１００は全体として小魚の形状を有しており、頭部を鉛等で形成したジグヘッド１１０とし、その後方の胴体を軟質樹脂で形成したソフトルアー１２０として、このソフトルアー１２０をジグヘッド１１０に装着して一体としたものである。
【０００３】
この釣り用ルアー１００は、ジグヘッド１１０が鉛等で形成されている一方、ソフトルアー１２０は軟質樹脂で形成されているため耐久性に差がある。またソフトルアー１２０には釣り針（図示せず）を掛けることもあり、ジグヘッド１１０が耐久性を有するのに対してソフトルアー１２０は消耗品であり、ジグヘッド１１０に対して劣化したソフトルアー１２０を取り外し、新たなソフトルアー１２０を取り付けることができるようになっている。
【発明の概要】
【発明が解決しようとする課題】
【０００４】
このジグヘッド１１０に対するソフトルアー１２０の取り付け構成として、図３に示すように、ジグヘッド１１０の装着面１１１から棒体１１２を突き出し、これにソフトルアー１２０を差し込んで固定していた。また、ソフトルアー１２０は装着し易く脱落（取り外し）し難いほうが良いため、棒体１１２を太くし、その全周にわたって断面三角形状の返し１１３が形成されているものがあるが、これでもソフトルアー１２０の脱落防止として十分に機能するとはいえなかった。
【０００５】
そこで、本発明は、上記問題点に鑑み、ソフトルアーが脱落しにくいソフトルアー装着用ジグヘッド及びジグヘッドにソフトルアーを装着した釣り用ルアーを提供することを目的とする。
【課題を解決するための手段】
【０００６】
上記課題を解決するため、請求項１に係る発明は、ソフトルアーを装着する装着面から心棒および心棒を囲む螺旋を有する抜け止め部材が突出しているソフトルアー装着用ジグヘッドを特徴とする。
【０００７】
また、請求項２に係る発明は、前記螺旋は螺旋バネであることを特徴とする。
請求項３に係る発明は、前記装着面には、装着したソフトルアーの抜け方向への回転を規制する回り止めを有することを特徴とする。
【０００８】
請求項４に係る発明は、前記回り止めは、心棒からの距離が相違する複数箇所にあることを特徴とする。
請求項５に係る発明は、請求項１ないし５のいずれか一項に記載のソフトルアー装着用ジグヘッドにソフトルアーを装着した釣り用ルアーを特徴とする。
【発明の効果】
【０００９】
本発明によれば、ジグヘッドに装着したソフトルアーが脱落しにくいソフトルアー装着用ジグヘッド及びジグヘッドにソフトルアーを装着した釣り用ルアーとすることができる。
【図面の簡単な説明】
【００１０】
【図１】図１（ａ）は本実施形態の釣り用ルアーの側面図、図１（ｂ）はソフトルアー装着用ジグヘッド（頭部）の全体側面図、図１（ｃ）は同平面図、図１（ｄ）は同背面図、図１（ｅ）はソフトルアー装着用ジグヘッド（頭部）の内部構造を示す説明図、図１（ｆ）はＴ字部材の平面図、図１（ｇ）は抜け止め部材の平面図。
【図２】図２（ａ）は、心棒を胴体に差し込んだときの説明図、図２（ｂ）は、螺旋が胴体に当接した状態の説明図、図２（ｃ）は頭部と胴体とを装着完了した状態の説明図。
【図３】従来の釣り用ルアーの概要図。
【発明を実施するための形態】
【００１１】
以下、本発明を具体化した釣り用ルアー１０の一実施形態を図１および図２にしたがって説明する。
図１（ａ）に示すように、本実施形態の釣り用ルアー１０は、釣り対象魚（例えば太刀魚）の補食対象となる魚（例えばイワシ）の外形に似せた形状としている。
【００１２】
この釣り用ルアー１０は、魚の頭部に当たるソフトルアー装着用ジグヘッド２０と魚の胴部及び尾部に当たるソフトルアー３０からなり、両者は取り付け、取り外し可能である。なお、以下、本実施形態においてソフトルアー装着用ジグヘッド２０を頭部２０ともいい、ソフトルアー３０を胴体３０ともいう。
【００１３】
このうち、頭部２０は鉛やタングステン等の比重の高い材料で形成されており錘としての機能を兼ねている。また、胴体３０は軟質材料で形成されており、水中で魚の動きに似た挙動を採って対象魚の注意を引くことができる。なお、ソフトルアー３０はソフトベイド、ソフトワーム、ワームなど別の名称で用いられることもある。
【００１４】
本実施形態の釣り用ルアー１０は、ソフトルアー装着用ジグヘッド（頭部）２０にソフトルアー（胴体）３０を装着した構造であり、異なる材質を組み合わせているためハイブリッドルアーとも呼ばれることがある。
【００１５】
図１（ｂ）、図１（ｃ）に示すように、頭部２０には目及び口が描かれ、頭部２０の上面に釣り糸を掛ける釣り糸用ループ２１を有し、頭部２０の下面には釣り針を掛ける釣り針用ループ２２を有する。これら釣り糸用ループ２１及び釣り針用ループ２２は開放部分を有しない閉塞ループである。
【００１６】
また、頭部２０のうち胴体３０を接合して装着する面となる装着面２３には、装着面２３を正面に見て（図１（ｄ）のアングル、以下同様）、その中央部分から装着面２３に直交する方向、魚で言えば背骨の方向に沿って直線状に伸びる心棒２４が突出して形成されており、その長さは頭部２０の長さと略同じ程度である。
【００１７】
また、装着面２３には抜け止め部材２５も突出形成されている。この抜け止め部材２５は、装着面２３から心棒２４と平行に伸びる直線部２６とその途中から心棒２４の周囲を螺旋状に囲む螺旋部２７を備える。螺旋部２７はバネ性を有する螺旋バネであり、基端（装着面２３側）から先端（直線部２６と反対側）に向かうほど螺旋の径が小さく、また螺旋の向きは螺旋の先端から基端に向かって時計回り（Ｚ巻き）となっている。
【００１８】
図１（ｂ）、図１（ｃ）、図１（ｄ）に示すように、装着面２３の心棒２４の上下位置には、それぞれ心棒から異なる長さとなる位置（非同心円となる位置）に上側回り止め２８と下側回り止め２９が形成されている。これら回り止め２８、２９は頭部２０の装着面２３に一体成形された三角錐形状の突起である。このうち、上側回り止め２８は、装着面２３を正面に見て、左から右に向かうほど装着面２３からの高さが高くなる斜辺及び上下の面を有し、その右端は装着面２３に垂直な係止面２８ａとなっている。また、下側回り止め２９は、同じく装着面２３を正面に見て、右から左に向かうほど装着面２３からの高さが高くなる斜辺及び上下の面を有し、その左端は装着面２３に垂直な係止面２９ａとなっている。つまり、上側回り止め２８と下側回り止め２９は、装着面２３の中心を上下に伸びる線に対称となる位置に形成されている。なお、下側回り止め２９の斜辺の長さが上側よりも大きく形成されている。
【００１９】
図１（ｅ）、図１（ｆ）に示すように、釣り糸用ループ２１、釣り針用ループ２２及び心棒２４は、予め、１本の金属棒を頭部下面に位置する部分を基点として一筆書きで略Ｔ字状となるように折り曲げ、Ｔ字の両端に当たる部分にそれぞれループを形成したＴ字部材４０を使用している。このＴ字部材４０を頭部２０の成形型にインサートしておくことにより頭部２０に対して釣り糸用ループ２１、釣り針用ループ２２及び心棒２４が所定位置に形成される。なお、釣り糸用ループ２１は、Ｔ字部材４０としては開放部分を有するループであるが、同開放部分はインサート形成により頭部２０に埋設し、閉塞したループとなる。
【００２０】
また、図１（ｇ）に示すように、抜け止め部材２５も、同じく予め１本の金属棒に直線部２６と螺旋部２７を形成しておき、Ｔ字部材４０と併せて頭部２０の型にインサートしておくことにより頭部２０の装着面２３に突出形成されることとなる。なお、抜け止め部材２５は頭部２０に埋設される直線部２６の基端がＬ字状に折り曲げられており、抜け止め部材２５が頭部２０にインサートされたときの固定用となっている。
【００２１】
胴体３０は、前方に頭部２０の装着面２３に装着する端面となる被装着面３１を有し、軟質樹脂により一体成形したものである。胴体３０に使用することができる軟質材料として、軟質の合成樹脂、エラストマーがあり、具体的には、ポリ塩化ビニル樹脂、ポリ酢酸ビニル樹脂、シリコン樹脂、スチレン系エラストマー、ポリウレタン系エラストマー、ポリエステル系エラストマー、天然ゴム、合成ゴム等である。
【００２２】
次に、この頭部２０と胴体３０とを装着する方法について説明する。
図２（ａ）に示すように、まず、頭部２０の装着面２３から伸びる心棒２４の先端を、胴体３０の被装着面３１の中心に真っ直ぐに差し込む。胴体３０をそのまま差し込んでいき、心棒２４が胴体３０の被装着面３１からある程度の深さ突き刺さると、図２（ｂ）に示すように、胴体３０の被装着面３１に抜け止め部材２５の螺旋部２７の先端が当たる。
【００２３】
ここで、装着面２３を正面に見て、頭部２０に対して胴体３０を時計回りに回転させると螺旋部２７が胴体３０に螺旋状に食い込んでいく。そのまま、胴体３０を時計回りの方向に回転しつづけると、螺旋部２７は螺旋状に胴体３０内に食い込むため、胴体３０は回転しながら頭部２０に近づき、頭部２０の装着面２３と胴体３０の被装着面３１とが接触する状態となる。この状態では、頭部２０の装着面２３に形成されている上側回り止め２８と下側回り止め２９が胴体３０の被装着面３１に接触するが、いずれも斜辺が胴体３０の被装着面３１に接触するため、胴体３０の回転抵抗は大きくならない。
【００２４】
そして、図２（ｃ）に示すように、頭部２０の装着面２３と胴体３０の被装着面３１とが完全に接触した状態となり、互いの向きを揃えれば装着が完了し、釣り用ルアー１０が完成する。なお、装着完了時には、上側回り止め２８の係止面２８ａと下側回り止め２９の係止面２９ａが胴体３０の被装着面３１に食い込む形で接するため、胴体３０の頭部２０から外れる方向への回転を規制する。
【００２５】
上記実施形態の釣り用ルアー１０によれば、以下のような効果を得ることができる。
（１）上記実施形態では、ソフトルアー装着用ジグヘッド（頭部）２０の装着面２３に突出された抜け止め部材２５の螺旋部２７が、ソフトルアー（胴体）３０の被装着面３１に螺旋状に食い込むため、両者が脱落しにくい。
【００２６】
（２）頭部２０に胴体３０を装着するにあたり、心棒２４が胴体３０に真っ直ぐ食い込み、これを中心に螺旋部２７が胴体３０に食い込むため、装着時に胴体３０を回転しながら突き刺していっても芯ずれしない。
【００２７】
（３）螺旋部２７はバネとなっており、頭部２０の装着面２３に対して胴体３０の被装着面３１が接触した後も回転を続けて、螺旋部２７を胴体３０に更に食い込ませると螺旋部２７が伸びながら胴体３０内に食い込む。その後に、螺旋部２７は縮む方向へのバネ力が作用するため、胴体３０を頭部２０側へ引き寄せることとなり、頭部２０と胴体３０とをより密着させる。
【００２８】
（４）装着面２３には上側回り止め２８、下側回り止め２９が形成されており、それらの係止面２８ａ、２９ａが胴体３０の被装着面３１に食い込む形で接触するため、頭部２０に対して胴体３０が外れる方向（本実施形態では装着面２３を正面に見て、頭部２０に対して反時計回り方向）の回転を規制することができる。
【００２９】
（５）上側回り止め２８と下側回り止め２９が形成される位置は心棒２４からの長さが異なっているため、胴体３０を回転させながら頭部２０に装着する際にそれぞれの回り止め２８、２９が胴体３０の被装着面３１に軌跡（へこみ）を成形しても互いに影響を与えない。
【００３０】
なお、上記実施形態は以下のように変更してもよい。
○  釣り用ルアー１０として魚に似せた形状としたが、それ以外の生物（エビ、かに、ゴカイ、たこ、イカ、ミミズ、昆虫、クモ、クラゲ等）の形状、非生物（ひも、円筒、数珠）の形状にしてもよい。
【００３１】
○  螺旋部は本実施形態の向きように、螺旋の先端から基端に向かって時計回り（Ｚ巻き）が装着の容易性のために好ましいが、螺旋部２７の螺旋の向きを逆にしても良い。
○  頭部２０の装着面２３と胴体３０の被装着面３１との間は密着させると最も強く装着されるが、軽い接触や少し間隔を開けてもよい。
【００３２】
○  上側回り止め２８、下側回り止め２９のいずれか或いは双方を省略、或いは形成する位置や数を変更してもよい。
○  抜け止め部材２５の直線部２６を省略して、頭部２０の装着面２３から螺旋部２７が突出するようにしてもよい。
【符号の説明】
【００３３】
１０・・釣り用ルアー、２０・・・ソフトルアー装着用ジグヘッド（頭部）、２３・・・装着面、２４・・・心棒、２５・・・抜け止め部材、２７・・・螺旋部、２８・・・上側回り止め、２９・・・下側回り止め、３０・・・ソフトルアー（胴体）、３１・・・被装着面。
【図１】
2018050485.tif 000003
【図２】
2018050485.tif 000004
【図３】
2018050485.tif 000005